(57)【要約】【課題】低コストで有効に光束の低下を抑制することができる照明器具を提供する。【解決手段】照明器具１は、下面に開口が形成された合成樹脂製の器具本体２等から構成されている。器具本体２の下方には器具本体２の開口を覆うように合成樹脂製の透光性カバー５が配置されている。器具本体２と透光性カバー５とにより形成される空間内には、蛍光ランプ９、蛍光ランプ９から発せられた光を反射する反射板１０、蛍光ランプ９を点灯させる点灯装置１３等が配置されている。蛍光ランプ９には、最冷部を保温するための保温カバー１４が被せられている。【選択図】図３
2005216731.tif 000002
【特許請求の範囲】
【請求項１】
合成樹脂製の器具本体と；
前記器具本体の下面側を覆う合成樹脂製の透光性カバーと；
前記器具本体と前記透光性カバーとにより形成される空間に配置された蛍光ランプと；
前記器具本体内に配置され、前記蛍光ランプを点灯させるための点灯装置と；
前記蛍光ランプの最冷部を覆うことにより前記最冷部を保温し、少なくとも前記透光性カバーと対向する部分が透光性の合成樹脂から構成された保温カバーと；
を具備することを特徴とする照明器具。
【請求項２】
前記保温カバーは、両端が開口し、かつ透光性の合成樹脂から構成された筒体と、前記筒体の一方の開口に取付けられた第１のパッキンと、前記筒体の他方の開口に取付けられ、前記蛍光ランプを挿入するための開口が形成された第２のパッキンとを備えていることを特徴とする請求項１記載の照明器具。
【発明の詳細な説明】
【技術分野】
【０００１】
本発明は、例えば冷凍倉庫等の低温雰囲気下で使用可能な照明器具に関する。
【背景技術】
【０００２】
従来から、冷凍倉庫の天井等には、冷凍倉庫内を照らすための照明器具が設置されている。このような低温雰囲気下で使用される照明器具の光源には、蛍光ランプが使用されている。
【０００３】
ところが、低温雰囲気下では蛍光ランプの表面温度が低下するために光束が低下してしまうという問題がある。現在、低温雰囲気下における光束の低下を抑制するために、蛍光ランプ全体を２重のチューブで覆い、或いは蛍光ランプの最冷点近傍の外面及び最冷点よりも高温の外面に熱伝導性の高い銅やアルミニウム等の金属から構成された最冷点加熱部材を設けている（特許文献１参照）。
【特許文献１】特開平２００１−２３５７５号公報
【発明の開示】
【発明が解決しようとする課題】
【０００４】
しかしながら、蛍光ランプ全体を２重のチューブで覆った場合には、高コストになってしまうという問題がある。即ち、蛍光ランプ全体を２重のチューブで覆う場合には、２重のチューブの他、２重のチューブの両端を固定するためのパッキン、内側のチューブの内面に取付けられ、蛍光ランプを保持するための金属部材等が必要となるからである。
【０００５】
また、蛍光ランプの最冷点近傍の外面及び最冷点よりも高温の外面に最冷点加熱部材を設けた場合には、最冷点よりも高温の部分から最冷点近傍熱に熱は移動するが、それ以上に最冷点加熱部材の表面からの放熱が進んでしまうため、最冷点を有効に加熱することはできず、光束の低下を有効に抑制することができないという問題がある。
【０００６】
本発明は、上記課題を解決するためになされたものである。即ち、低コストで有効に光束の低下を抑制することができる照明器具を提供することを目的とする。
【課題を解決するための手段】
【０００７】
請求項１記載の発明は、合成樹脂製の器具本体と；前記器具本体の下面側を覆う合成樹脂製の透光性カバーと；前記器具本体と前記透光性カバーとにより形成される空間に配置された蛍光ランプと；前記器具本体内に配置され、前記蛍光ランプを点灯させるための点灯装置と；前記蛍光ランプの最冷部を覆うことにより前記最冷部を保温し、少なくとも前記透光性カバーと対向する部分が透光性の合成樹脂から構成された保温カバーと；を具備することを特徴とする照明器具である。
【０００８】
請求項２記載の発明は、前記保温カバーが、両端が開口し、かつ透光性の合成樹脂から構成された筒体と、前記筒体の一方の開口に取付けられた第１のパッキンと、前記筒体の他方の開口に取付けられ、前記蛍光ランプを挿入するための開口が形成された第２のパッキンとを備えていることを特徴とする請求項１記載の照明器具である。
【発明の効果】
【０００９】
請求項１記載の発明によれば、合成樹脂製の器具本体と合成樹脂製の透光性カバーとを使用し、点灯装置を器具本体内に配置し、保温カバーにより蛍光ランプの最冷部を覆っているので、蛍光ランプ及び点灯装置から発せられた熱を上記空間にこもらせることができるとともに最冷部を保温することができ、有効に光束の低下を抑制することができる。また、２重のチューブにより蛍光ランプ全体を覆う場合よりも、部品数が少なく、かつ容易に作製できるので低コストで提供することができる。さらに、少なくとも透光性カバーと対向する保温カバーの部分を透光性の合成樹脂から構成しているので、その部分から光を放射させることができ、暗部を低減させることができる。
【００１０】
請求項２記載の発明によれば、保温カバーを筒体とパッキンから構成しているので、長さの異なる蛍光ランプを使用する場合であっても、蛍光ランプの長さに合わせて筒体のみの長さを変えることにより、容易に対応することができる。
【発明を実施するための最良の形態】
【００１１】
（第１の実施の形態）
以下、本発明の第１の実施の形態について説明する。図１は本実施の形態に係る照明器具の模式的な側面図であり、図２は本実施の形態に係る照明器具の正面図である。図３は本実施の形態に係る透光性カバーを水平に切ったときの照明器具の模式図であり、図４は本実施の形態に係る保温カバーの模式的な分解斜視図である。
【００１２】
図１〜図３に示されるように、照明器具１は、下面に開口が形成された略船形の器具本体２等から構成されている。器具本体２は、例えば繊維強化ポリエステル等の合成樹脂から構成されている。
【００１３】
器具本体２の上面には、天井等に照明器具１を取付けるための長板状の取付金具３がボルト４により固定されている。取付金具３にはボルト挿入孔３ａが形成されており、このボルト挿入孔３ａに下側からボルト（図示せず）を挿入し、天井等にボルトを打ち込むことにより、天井等に照明器具１が取付けられる。
【００１４】
器具本体２の下方には、器具本体２の開口を覆うように透光性カバー５が配置されている。透光性カバー５は例えばアクリル等の合成樹脂から構成されており、透光性カバー５の縁部には、凹部５ａが形成されている。
【００１５】
器具本体２と透光性カバー５は、所定間隔毎に配置された複数の固定金具６により固定されている。固定金具６は、器具本体２に取付けられた金具７、金具７に対して回動自在に取付けられ、爪部８ａを備えた金具８等から構成されている。器具本体２上に透光性カバー５を載置した状態で、爪部８ａを凹部５ａに引掛け、その後金具８の側面を器具本体２側に押すことにより、器具本体２と透光性カバー５が固定される。
【００１６】
器具本体２と透光性カバー５とにより形成される空間内には、蛍光ランプ９が配置されている。蛍光ランプ９としては、直管型の両口金タイプ、Ｈ字状及びＵ字状の片口金タイプのいずれであってもよい。本実施の形態においては、Ｈ字状の片口金タイプの蛍光ランプが図示されている。
【００１７】
蛍光ランプ９の背面側には、蛍光ランプ８の光を反射させて、反射した光を照明器具１の下方に導く反射板１０が配置されている。反射板１０の表面には、白色塗装が施されていてもよく、また反射板１０の表面は鏡面等になっていてもよい。
【００１８】
蛍光ランプ９は、反射板１０の表面に取付けられたソケット１１に装着されているとともにランプホルダ１２により保持されている。反射板１０の裏面には、安定器等の蛍光ランプ９を点灯させる点灯装置１３が取付けられている。
【００１９】
蛍光ランプ９には、最冷部を保温するための保温カバー１４が被せられている。本実施の形態の蛍光ランプ９においては、フィラメント電極（図示せず）から最も離れた蛍光ランプ９の先端部９ａに最冷部が形成されるので、本実施の形態においては保温カバー１４は蛍光ランプ９の先端部９ａに被せられている。
【００２０】
保温カバー１４は、合成樹脂から構成されている。ここで、少なくとも透光性カバー５と対向する保温カバー１４の部分は、透光性の合成樹脂から構成されている。さらに本実施の形態においては、保温カバー１４は、図４に示されるように両端が開口し、かつ透光性の合成樹脂から構成された筒体１５と、筒体１５の開口に取付けられたパッキン１６（第１のパッキン）、パッキン１７（第２のパッキン）とから構成されている。筒体１５を構成する透光性の合成樹脂としては、例えばアクリルやポリカーボネート等が挙げられる。筒体１５は、合成樹脂を例えば押し出し成形等により成形することが可能である。パッキン１７には、蛍光ランプ９を挿入するための開口１７ａが形成されている。
【００２１】
本実施の形態では、合成樹脂製の器具本体２と合成樹脂製の透光性カバー５を使用し、器具本体２内に点灯装置１３を配置し、蛍光ランプ９の最冷部に合成樹脂製の保温カバー１４を被せているので、低コストで有効に光束の低下を抑制することができる。即ち、一般的に合成樹脂は金属よりも熱伝導率が低く、また蛍光ランプは点灯時に発熱する。従って、器具本体２と透光性カバー５をともに合成樹脂で構成することにより、蛍光ランプ９から発せられた熱が器具本体２と透光性カバー５により形成される空間にこもり易くなっている。また、点灯装置１３も蛍光ランプ９の点灯時に発熱する。従って、器具本体２内に点灯装置１３を配置することにより、点灯装置１３から発せられた熱が上記空間にこもり易くなっている。さらに、蛍光ランプ９の最冷部に合成樹脂製の保温カバー１４を被せることにより、最冷部が保温される。ここで、蛍光ランプ９は、ランプ管壁の最冷部の温度の変化により明るさが変化するものであるが、最冷部が低温になりすぎると、かえって効率が低下してしまうものである。本実施の形態では、上記の構成により低温雰囲気下においても、蛍光ランプ９の温度、特に最冷部の温度が低下しすぎないようになっているので、効率が低下することを容易に、かつ有効に抑制することができる。また、２重のチューブにより蛍光ランプ全体を覆う場合よりも、部品数が少なく、かつ容易に作製できるので低コストで提供することができる。なお、本実施の形態の保温カバー１４は、照明器具１が１０℃〜−３０℃で使用される場合に特に有効である。
【００２２】
本実施の形態では、筒体１５を透光性の合成樹脂から構成しているので、暗部がほぼ形成されない。即ち、筒体１５を金属等の非透光性材料から構成すると、筒体１５で覆われている部分からは光は放射されず、暗部が形成されてしまうが、本実施の形態では、筒体１５からも光が放射されるので、意匠性が損なわれることを抑制することができる。
【００２３】
本実施の形態では、保温カバー１４を筒体１５とパッキン１６，１７とから構成しているので、長さの異なる蛍光ランプ９を使用する場合であっても、蛍光ランプ９の長さに合わせて筒体１５のみの長さを変えることにより、容易に対応することができる。なお、押し出し成形により筒体を成形する場合であれば、押し出し長さを変えることにより容易に筒体１５の長さを変えることができる。
【００２４】
（第２の実施の形態）
以下、本発明の第２の実施の形態について説明する。本実施の形態では、保温カバーを複数設けた例について説明する。図５は、本実施の形態に係る透光性カバーを水平に切ったときの照明器具の模式図である。
【００２５】
図５に示されるように、蛍光ランプ９には、蛍光ランプ９の先端部９ａに被せられた保温カバー１４の他に蛍光ランプ９の胴部９ｂに保温カバー１８が被せられている。保温カバー１８は、保温カバー１４と同様の構成となっている。ここで、保温カバー１８の筒体１９は、保温カバー１４の筒体１５よりも長さが長いが、押し出し長さを変えるだけで、筒体１５よりも長い筒体１９を容易に形成することができる。
【００２６】
本実施の形態では、蛍光ランプ９の先端部９ａに被せられた保温カバー１４の他に胴部９ｂに保温カバー１８を被せているので、最冷部の温度をより最適な温度にすることができ、光束の低下をより有効に抑制することができる。即ち、先端部９ａにのみ保温カバー１４を被せると、先端部９ａに位置している最冷部が胴部９ｂに移動する場合がある。本実施の形態では、先端部９ａのみならず胴部９ｂにも保温カバー１８を被せているので、胴部９ｂに最冷部が移動した場合であっても最冷部を保温することができ、最冷部の温度をより最適な温度にすることができる。それ故、光束の低下をより有効に抑制することができる。なお、本実施の形態の保温カバー１４，１８は、照明器具１が−４０℃〜−５０℃で使用される場合に特に有効である。
【００２７】
本発明は上記実施の形態の記載内容に限定されるものではなく、構造や材質、各部材の配置等は、本発明の要旨を逸脱しない範囲で適宜変更可能である。
【図面の簡単な説明】
【００２８】
【図１】第１の実施の形態に係る照明器具の模式的な側面図である。
【図２】第１の実施の形態に係る照明器具の模式的な正面図である。
【図３】第１の実施の形態に係る透光性カバーを水平に切ったときの照明器具の模式図である。
【図４】第１の実施の形態に係る保温カバーの模式的な分解斜視図である。
【図５】第２の実施の形態に係る透光性カバーを水平に切ったときの照明器具の模式図である。
【符号の説明】
【００２９】
１…照明器具、２…器具本体、５…透光性カバー、９…蛍光ランプ、１３…点灯装置、１４，１８…保温カバー、１５，１９…筒体、１６，１７…パッキン、１７ａ…開口。
【図１】
2005216731.tif 000003
【図２】
2005216731.tif 000004
【図３】
2005216731.tif 000005
【図４】
2005216731.tif 000006
【図５】
2005216731.tif 000007